(57)【要約】【課題】トロイダル型無段変速機の寿命が低下するのを防止することができるトロイダル型無段変速機用入力側ディスクユニットを提供する。【解決手段】入力軸１と、ローディングカム７と、入力側ディスク２Ａと、ローディングローラ４３と、保持器４５とを備えているトロイダル型無段変速機用入力側ディスクユニット６０において、板部６２と先端部がローディングカム７の外側面７ｂに圧接される一対の脚部６３，６３とからなり、入力軸１とローディングカム７と入力側ディスク２Ａとローディングローラ４３と保持器４５とを非分離に保持する抑え治具６１と、入力側ディスク２Ａと抑え治具６１とを連結するボルト５５とを備え、抑え治具６１の脚部６３，６３は、板部６２の周方向に間隔をおいて複数個形成されている。【選択図】      図２
2004286085.tif 000002
【特許請求の範囲】
【請求項１】
入力軸と、この入力軸の一端部に設けられた鍔部と、前記入力軸の中間寄りの側面である前記鍔部の内側面に支持され、内側面が円周方向に亙る凹凸である駆動側カム面とされたカム板と、前記駆動側カム面に対向する外側面が円周方向に亙る凹凸である被駆動側カム面とされているとともに、内側面が断面円弧状の凹面とされ、前記入力軸の一端部側の部分に結合されて前記入力軸と一体に回転する入力側ディスクと、前記駆動側カム面と前記被駆動側カム面との間に挟持された複数個のローラと、これらの複数個のローラを転動自在に保持する保持器と、前記カム板と前記入力側ディスクとを互いに離反させる向きの力を作用する予圧発生部材とを備えているトロイダル型無段変速機用入力側ディスクユニットにおいて、
板状の板部とこの板部の外周部から前記カム板の外側面側に延びて、この外側面に圧接される脚部とからなり、前記入力軸と前記カム板と前記入力側ディスクと前記ローラと前記保持器とを非分離に保持する抑え治具と、この抑え治具の前記板部、前記カム板および前記保持器にそれぞれ形成された貫通孔に貫通されるとともに、前記入力側ディスクの外側面に形成された雌ねじに先端部が螺合されて、前記入力側ディスクと前記抑え治具とを連結するボルトとを備え、前記抑え治具の前記脚部は、前記板部の周方向に間隔をおいて複数個形成されていることを特徴とするトロイダル型無段変速機用入力側ディスクユニット。
【請求項２】
入力軸と、この入力軸の一端部に設けられた鍔部と、前記入力軸の中間寄りの側面である前記鍔部の内側面に支持され、内側面が円周方向に亙る凹凸である駆動側カム面とされたカム板と、前記駆動側カム面に対向する外側面が円周方向に亙る凹凸である被駆動側カム面とされているとともに、内側面が断面円弧状の凹面とされ、前記入力軸の一端部側の部分に結合されて前記入力軸と一体に回転する入力側ディスクと、前記駆動側カム面と前記被駆動側カム面との間に挟持された複数個のローラと、これらの複数個のローラを転動自在に保持する保持器と、前記カム板と前記入力側ディスクとを互いに離反させる向きの力を作用する予圧発生部材とを備えているトロイダル型無段変速機用入力側ディスクユニットにおいて、
板状の板部とこの板部の外周部から前記カム板の外側面側に延びて、この外側面に圧接される脚部とからなり、前記入力軸と前記カム板と前記入力側ディスクと前記ローラと前記保持器とを非分離に保持する抑え治具と、この抑え治具の前記板部、前記カム板および前記保持器にそれぞれ形成された貫通孔に貫通されるとともに、前記入力側ディスクの外側面に形成された雌ねじに先端部が螺合されて、前記入力側ディスクと前記抑え治具とを連結するボルトと、前記抑え治具に固定された状態で前記入力軸の一端部側の端面を抑えて、前記入力軸を軸線方向に位置決めする位置決め治具とを備え、前記抑え治具の前記板部には、前記抑え治具に前記位置決め治具を固定するボルトが螺合されるとともに、このボルトの先端部が収納される袋状の収納部を有する雌ねじ部が設けられていることを特徴とするトロイダル型無段変速機用入力側ディスクユニット。
【請求項３】
前記抑え治具の前記脚部は、前記抑え治具の前記板部の周方向に間隔をおいて複数個形成されていることを特徴とする請求項２に記載のトロイダル型無段変速機用入力側ディスクユニット。
【請求項４】
前記抑え治具に前記位置決め治具を固定する前記ボルトの先端部には、該先端部が前記雌ねじ部の前記収納部内から抜け出るのを防止する抜け止め部が設けられていることを特徴とする請求項２または請求項３に記載のトロイダル型無段変速機用入力側ディスクユニット。
【請求項５】
前記入力軸は筒状に形成されており、前記位置決め治具には、前記入力軸の内部と外部とを連通する貫通孔が形成されていることを特徴とする請求項２乃至請求項４のいずれかに記載のトロイダル型無段変速機用入力側ディスクユニット。
【発明の詳細な説明】
【０００１】
【発明の属する技術分野】
本発明は、トロイダル型無段変速機用入力側ディスクユニットに関する。
【０００２】
【従来の技術】
図１２は、例えば自動車用変速機として利用可能な従来のトロイダル型無段変速機を示す図である。このトロイダル型無段変速機は、いわゆるダブルキャビティ型の高トルク用トロイダル型無段変速機であり、２つの入力側ディスク２Ａ，２Ｂと、２つの出力側ディスク３Ａ，３Ｂとが、入力軸１の外周に取り付けられて成る。入力軸１は、この入力軸１を軸方向に貫通する軸孔１ｂを有する円筒状に形成されている。
【０００３】
また、入力軸１の中間部の外周には出力歯車４が回転自在に支持されている。この出力歯車４の中心部に設けられた円筒状のフランジ部４ａ，４ａには、出力側ディスク３Ａ，３Ｂがスプライン係合によって連結されている。なお、出力歯車４は、二つの部材の結合によって構成された仕切壁１３を介してハウジング（図示せず）内に支持されており、これにより、軸線Ｏを中心に回転できる一方で、軸線Ｏ方向の変位が阻止されている。
【０００４】
入力軸１の基端部（図１２において左側面）には、鍔部１ａが設けられており、この鍔部１ａの内側面１ｃにアンギュラ型の内輪軌道３５が形成されている。また、鍔部１ａの近傍には、トルクが入力されるローディングカム７が配置されており、ローディングカム７の外側面の内周縁部には、アンギュラ型の外輪軌道３７が形成されている。これら内輪軌道３５と外輪軌道３７との間に複数個の玉３９が転動自在に配置されて、転がり軸受であるアンギュラ型の玉軸受４１を構成している。この玉軸受４１によって、後述する押圧装置１２のスラスト荷重を支持している。
【０００５】
また、それぞれの入力側ディスク２Ａ，２Ｂは、入力軸１と一体的に回転し、かつ入力軸１の軸線Ｏ方向に変位できるように、入力軸１にボールスプライン６Ａ，６Ｂを介して支持されている。このボールスプライン６Ａ，６Ｂは、入力軸１の外周面に形成されたボールスプライン溝１６Ａ，１６Ｂと、入力側ディスク２Ａ，２Ｂの内周面に形成されたボールスプライン溝１８Ａ，１８Ｂと、これらボールスプライン溝１６Ａ，１８Ａ，１６Ｂ，１８Ｂの間に転動自在に介在された複数個のボール１７とで構成されている。
【０００６】
また、それぞれの出力側ディスク３Ａ，３Ｂは、入力軸１との間に介在されたニードル軸受５，５によって、入力軸１の軸線Ｏを中心に回転自在に支持されている。この出力側ディスク３Ａ，３Ｂの内側面３ａ，３ｂと、入力側ディスク２Ａ，２Ｂの内側面２ａ，２ｂとの間には、パワーローラ１１Ａ，１１Ｂが回転自在に挟持されている。
【０００７】
一方、ローディングカム７の内側面には、円周方向に亙る凹凸面である駆動側カム面７ａが形成されている。また、フロント側（図１２において左側）の入力側ディスク２Ａの両側面のうち、ローディングカム７の駆動側カム面７ａに対向する外側面には、円周方向に亙る凹凸面である被駆動側カム面１４が形成されている。これらのローディングカム７の駆動側カム面７ａとフロント側の入力側ディスク２Ａの被駆動側カム面１４との間には、複数個のローディングローラ４３が保持器４５により転動自在に保持されて、ローディングカム式の押圧装置１２を構成している。
【０００８】
また、フロント側の入力側ディスク２Ａとローディングカム７との間には、予圧発生部材である皿ばね８が設けられている。皿ばね８は、入力側ディスク２Ａとローディングカム７とを互いに離反させる向きの力を作用して、フロント側の両ディスク２Ａ，３Ａの内側面２ａ，３ａとパワーローラ１１Ａの周面１１ａとの当接部に予圧を付与するようになっている。また、リア側（図１２において右側）の入力側ディスク２Ｂとローディングナット９との間にも、皿ばね１０が設けられている。皿ばね１０は、入力側ディスク２Ｂとローディングナット９とを互いに離反させる向きの力を作用して、リア側の両ディスク２Ｂ，３Ｂの内側面２ｂ，３ｂとパワーローラ１１Ｂの周面１１ｂとの当接部に予圧を付与するようになっている。
【０００９】
上記構成のトロイダル型無段変速機では、エンジン稼動に伴って駆動軸（図示せず）にトルクが伝達されると、このトルクは、フロント側の入力側ディスク２Ａをフロント側の出力側ディスク３Ａに弾性的に押圧している押圧装置１２を介して、フロント側の入力側ディスク２Ａに伝達されるとともに、入力軸１を介してリア側の入力側ディスク２Ｂに伝達され、各入力側ディスク２Ａ、２Ｂが回転する。
各入力側ディスク２Ａ，２Ｂにそれぞれ入力されたトルクは、パワーローラ１１Ａ，１１Ｂを介して、各出力側ディスク３Ａ，３Ｂに一定の変速比で伝達される。また、各出力側ディスク３Ａ，３Ｂの回転は、出力歯車４から伝達歯車１５等を介して、図示しない出力軸に伝達される。
【００１０】
ところで、上述のように構成されたトロイダル型無段変速機を組み立てる場合には、このトロイダル型無段変速機の本体を収納するケースの内側に各構成部品を組み付ける。この際、入力軸１と、この入力軸１上に配置されるローディングカム７、ローディングローラ４３、保持器４５、玉軸受４１の玉３９、皿ばね８、ボールスプライン６Ａのボール１７およびフロント側の入力側ディスク２Ａ等からなるトロイダル型無段変速機用入力側ディスクユニット５０を、トロイダル型無段変速機の本体を収納するケース内に組み付ける場合には、このトロイダル型無段変速機用入力側ディスクユニット５０を予め入力軸１に仮組みしたものをまとめてケース内に組み付けなければ、各部品が分離してしまい、効率良く組み付けることができない。
【００１１】
また、ローディングカム７、入力側ディスク２Ａおよびローディングローラ４３間で発生する押圧力が最小となるようにこれらを位置合わせした状態、すなわちローディングカム７の駆動側カム面７ａの溝部と入力側ディスク２Ａの被駆動側カム面１４の溝部とを対向させ、これらの溝部間にローディングローラ４３を位置させた状態にしないと、ローディングナット９を締め付けた際に、フロント側の入力側ディスク２Ａが実際の初期位置よりもフロント側に押された状態となる。このため、初期状態での皿ばね８が通常よりも押し潰されることになり、フロント側の入力側ディスク２Ａに対して過大な予圧を付与することとなって、予圧過大による駆動伝達の効率低下を招く虞がある。
【００１２】
上記問題を解決するために、従来、図１３乃至図１５に示すように、ローディングカム７の外側面７ｂ側に配置される抑え治具５１およびこの抑え治具５１に固定された板状の位置決め治具５６とを用いて、入力側ディスクユニット５０の各部品を仮組立している（例えば、特許文献１参照）。
【００１３】
図１３および図１４に示すように、抑え治具５１は、中央部に円孔５２ａが形成された円板状の板部５２とこの板部５２の外周部全体をローディングカム７の外側面に向けて折り曲げて形成された脚部５３とからなる。そして、ローディングカム７、入力側ディスク２Ａおよびローディングローラ４３間で発生する押圧力が最小となるようにこれらを位置合わせした状態で、２つのボルト５５，５５をそれぞれ、板部５２の貫通孔５２ｂ，５２ｂ、ローディングカム７の貫通孔７ｃ，７ｃおよび保持器４５の貫通孔４５ａ，４５ａに貫通させるとともに、入力側ディスク２Ａの外側面に形成された雌ねじ２ｃ，２ｃに各ボルト５５，５５の先端部を螺合させることにより、入力側ディスク２Ａと抑え治具５１とが連結されている。これにより、入力軸１、ローディングカム７、保持器４５および入力側ディスク２Ａが非分離に保持されている。
【００１４】
また、図１５に示すように、位置決め治具５６の中央部には、入力軸１の鍔部１ａ側の端面に向けて突出した断面コ字状の突出部５６ａが形成されている。また、位置決め治具５６の両端部にはそれぞれ、２つのボルト５７，５７が挿通される貫通孔５６ｂ，５６ｂが形成されている。そして、ボルト５７，５７を位置決め治具５６の貫通孔５６ｂ，５６ｂを貫通させるとともに、抑え治具５１の板部５２に形成された雌ねじ５２ｃ，５２ｃにボルト５７，５７の先端部を螺合させることにより、抑え治具５１の板部５２の外側面に位置決め治具５６が固定されている。この状態で、位置決め治具５６の突出部５６ａは、抑え治具５１の板部５２の円孔５２ａを介して入力軸１の鍔部１ａ側の端面に押し付けられており、これにより入力軸１が軸線方向に位置決めされる。
【００１５】
【特許文献１】
特開２０００−９１９６号公報
【００１６】
【発明が解決しようとする課題】
ところで、入力側ディスクユニット５０は、各治具５１，５６が取り付けられた状態でケース内に組み込まれる。その後、ケース内で各治具５１，５６が取り外される。この際に、ボルト５５，５５、ボルト５７，５７を取り外すと、ボルト５５，５５、ボルト５７，５７には皿ばね８からの荷重がかかっているため、ボルト５５，５５、ボルト５７，５７と螺合した雌ねじ２ｃ，２ｃ、雌ねじ５２ｃ，５２ｃが擦られて、摩耗粉や切粉等の異物が発生する。このような異物がケース内に落下すると、入力側ディスクとパワーローラとの間、出力側ディスクとパワーローラとの間等の転動面間に噛み込むため、トロイダル型無段変速機の寿命が低下する虞がある。
【００１７】
本発明は、前記事情に着目してなされたものであり、トロイダル型無段変速機の寿命が低下するのを防止することができるトロイダル型無段変速機用入力側ディスクユニットを提供することを目的とする。
【００１８】
【課題を解決するための手段】
前記課題を解決するために、請求項１に記載されたトロイダル型無段変速機用入力側ディスクユニットは、入力軸と、この入力軸の一端部に設けられた鍔部と、前記入力軸の中間寄りの側面である前記鍔部の内側面に支持され、内側面が円周方向に亙る凹凸である駆動側カム面とされたカム板と、前記駆動側カム面に対向する外側面が円周方向に亙る凹凸である被駆動側カム面とされているとともに、内側面が断面円弧状の凹面とされ、前記入力軸の一端部側の部分に結合されて前記入力軸と一体に回転する入力側ディスクと、前記駆動側カム面と前記被駆動側カム面との間に挟持された複数個のローラと、これらの複数個のローラを転動自在に保持する保持器と、前記カム板と前記入力側ディスクとを互いに離反させる向きの力を作用する予圧発生部材とを備えているトロイダル型無段変速機用入力側ディスクユニットにおいて、板状の板部とこの板部の外周部から前記カム板の外側面側に延びて、この外側面に圧接される脚部とからなり、前記入力軸と前記カム板と前記入力側ディスクと前記ローラと前記保持器とを非分離に保持する抑え治具と、この抑え治具の前記板部、前記カム板および前記保持器にそれぞれ形成された貫通孔に貫通されるとともに、前記入力側ディスクの外側面に形成された雌ねじに先端部が螺合されて、前記入力側ディスクと前記抑え治具とを連結するボルトとを備え、前記抑え治具の前記脚部は、前記板部の周方向に間隔をおいて複数個形成されていることを特徴とする。
【００１９】
請求項１に記載の発明においては、抑え治具の脚部を、板部の周方向に間をおいて複数個形成しているので、入力側ディスクの雌ねじにボルトを締めるときあるいは取り外すときに発生した摩耗粉や切粉等の異物が、カム板と抑え治具との間に溜まっていても、抑え治具の各脚部の間から異物を洗い出すことができるため、入力側ディスクとパワーローラとの間、あるいは出力側ディスクとパワーローラとの間等の転動面間に、異物が噛み込まれない。したがって、トロイダル型無段変速機の寿命が低下しない。
【００２０】
請求項２に記載のトロイダル型無段変速機用入力側ディスクユニットは、入力軸と、この入力軸の一端部に設けられた鍔部と、前記入力軸の中間寄りの側面である前記鍔部の内側面に支持され、内側面が円周方向に亙る凹凸である駆動側カム面とされたカム板と、前記駆動側カム面に対向する外側面が円周方向に亙る凹凸である被駆動側カム面とされているとともに、内側面が断面円弧状の凹面とされ、前記入力軸の一端部側の部分に結合されて前記入力軸と一体に回転する入力側ディスクと、前記駆動側カム面と前記被駆動側カム面との間に挟持された複数個のローラと、これらの複数個のローラを転動自在に保持する保持器と、前記カム板と前記入力側ディスクとを互いに離反させる向きの力を作用する予圧発生部材とを備えているトロイダル型無段変速機用入力側ディスクユニットにおいて、板状の板部とこの板部の外周部から前記カム板の外側面側に延びて、この外側面に圧接される脚部とからなり、前記入力軸と前記カム板と前記入力側ディスクと前記ローラと前記保持器とを非分離に保持する抑え治具と、この抑え治具の前記板部、前記カム板および前記保持器にそれぞれ形成された貫通孔に貫通されるとともに、前記入力側ディスクの外側面に形成された雌ねじに先端部が螺合されて、前記入力側ディスクと前記抑え治具とを連結するボルトと、前記抑え治具に固定された状態で前記入力軸の一端部側の端面を抑えて、前記入力軸を軸線方向に位置決めする位置決め治具とを備え、前記抑え治具の前記板部には、前記抑え治具に前記位置決め治具を固定するボルトが螺合されるとともに、このボルトの先端部が収納される袋状の収納部を有する雌ねじ部が設けられていることを特徴とする。
【００２１】
請求項２に記載の発明においては、抑え治具に位置決め治具を固定するボルトの先端部を収納する袋状の収納部を有する雌ねじ部が設けられているので、雌ねじ部に上記ボルトを締め付けるときあるいは上記ボルトを取り外すときに発生する摩耗粉や切粉等の異物が、雌ねじの収納部内に残留するため、ケース内に異物が落下しない。したがって、入力側ディスクとパワーローラとの間、あるいは出力側ディスクとパワーローラとの間等の転動面間に、異物が噛み込まれず、トロイダル型無段変速機の寿命が低下しない。
【００２２】
請求項３に記載のトロイダル型無段変速機用入力側ディスクユニットは、請求項２に記載の発明において、前記抑え治具の前記脚部は、前記抑え治具の前記板部の周方向に間隔をおいて複数個形成されていることを特徴とする。
【００２３】
請求項３に記載の発明においては、抑え治具の脚部を、抑え治具の板部の周方向に間をおいて複数個形成しているので、万一カム板と抑え治具との間に異物が溜まっていても、抑え治具の各脚部の間から異物が洗い出されるため、入力側ディスクとパワーローラとの間、あるいは出力側ディスクとパワーローラとの間等の転動面間に異物が噛み込まれない。したがって、トロイダル型無段変速機の寿命がさらに低下しない。
【００２４】
請求項４に記載のトロイダル型無段変速機用入力側ディスクユニットは、請求項２または請求項３に記載の発明において、前記抑え治具に前記位置決め治具を固定する前記ボルトの先端部には、該先端部が前記雌ねじ部の前記収納部内から抜け出るのを防止する抜け止め部が設けられていることを特徴とする。
【００２５】
請求項４に記載の発明においては、抑え治具に位置決め治具を固定するボルトの先端部に、この先端部が雌ねじ部の収納部内から抜け出るのを防止する抜け止め部を設けているので、ボルトを緩めても、ボルトの先端部が雌ねじ部の収納部から抜け出ないため、収納部はボルトの先端部により常に塞がれている。したがって、収納部内に溜まった異物が収納部内から外部に出て、ケース内に落下することがない。
【００２６】
請求項５に記載のトロイダル型無段変速機用入力側ディスクユニットは、請求項２乃至請求項４のいずれかに記載の発明において、前記入力軸は筒状に形成されており、前記位置決め治具には、前記入力軸の内部と外部とを連通する貫通孔が形成されていることを特徴とする。
【００２７】
請求項５に記載の発明においては、位置決め治具に、入力軸の内部と外部とを貫通する貫通孔を形成しているので、位置決め治具が固定された抑え治具を入力側ディスクに連結した状態で、位置決め治具の貫通孔を介して入力軸の内部を洗浄することができるため、入力軸の内部に異物が溜まらない。
【００２８】
【発明の実施の形態】
以下、図面を参照しながら、本発明の実施形態について説明する。なお、以下の各図においては、図１２乃至図１５と同一構成要素には、同一符号を付してその説明を簡略化する。
図１乃至図３は、本発明に係る第１実施の形態のトロイダル型無段変速機用入力側ディスクユニットを示している。
図１乃至図３に示すように、本実施の形態に係るトロイダル型無段変速機用入力側ディスクユニット６０は、抑え治具６１およびこの抑え治具６１に固定された位置決め治具５６とを備えている。
【００２９】
図１および図２に示すように、抑え治具６１は、中央部に円孔６２ａが形成された円板状の板部６２と、この板部６２の外周縁部からローディングカム（カム板）７の外側面７ｂに向けて延びる一対の脚部６３，６３とからなる。
図２に示すように、脚部６３，６３の先端部はそれぞれ、ローディングカム７の外側面７ｂに圧接されている。また、図１に示すように、脚部６３，６３はそれぞれ、板部６２の周方向に間隔をおいて互いに対向するように形成されている。これにより、図３に示すように、脚部６３，６３間にそれぞれ、空間Ｓ，Ｓが形成されている。
【００３０】
また、板部６２の脚部６３，６３の近傍の部分にはそれぞれ、ボルト６５，６５が挿通された２つの貫通孔６６，６６が形成されている。ボルト６５，６５の外周面の中間部には、外方に向けて突出する抜け止め部６５ａ，６５ａが形成されて、板部６２の貫通孔６６，６６からボルト６５，６５が抜け出ないようになっている。また、ボルト６５，６５を締め付けたときに、ボルト６５，６５の頭部が板部６２と擦れて、板部６２が損傷するのを防止するために、ボルト６５，６５の頭部と板部６２との間にそれぞれ、平座金９４，９４が介在されている。また、板部６２において、貫通孔６６，６６に対して周方向に９０°の位置にそれぞれ、位置決め治具５６を板部６２に固定するボルト５７，５７の先端部がそれぞれ螺合される雌ねじ６７，６７が形成されている。
【００３１】
そして、ローディングカム７の駆動側カム面７ａの溝部と入力側ディスク２Ａの被駆動側カム面１４の溝部とを対向させ、これらの溝部間にローディングローラ４３を位置させた状態で、抑え治具６１のボルト６５，６５をそれぞれ、ローディングカム７の貫通孔７ｃ，７ｃおよび保持器４５の貫通孔４５ａ，４５ａに貫通させるとともに、入力側ディスク２Ａの雌ねじ２ｃ，２ｃにボルト６５，６５の先端部をそれぞれ螺合させて、入力側ディスク２Ａと抑え治具６１とが連結されている。これにより、入力軸１、ローディングカム７、保持器４５および入力側ディスク２Ａが非分離に保持されている。
また、位置決め治具５６を板部６２に固定するときには、入力軸１を押して皿ばね（予圧発生部材）８を圧縮させた状態で、ボルト５７，５７の各先端部をそれぞれ板部６２の雌ねじ６７，６７に螺合するようにする。このようにすると、ボルト５７，５７は、皿ばね８による荷重を受けることなく雌ねじ６７，６７に螺合される。
【００３２】
このように構成されたトロイダル型無段変速機用入力側ディスクユニット６０にあっては、抑え治具６１の脚部６３，６３を、板部６２の周方向に間隔をおいて形成しているので、入力側ディスク２Ａの雌ねじ２ｃ，２ｃにそれぞれボルト６５，６５を締めるときあるいは取り外すとき、および板部６２の雌ねじ６７，６７からボルト５７，５７をそれぞれ取り外すときに発生する摩耗粉や切粉等の異物が、ローディングカム７と抑え治具６１との間に溜まっていても、抑え治具６１の各脚部６３，６３間の空間Ｓ，Ｓから異物を洗い出すことができる。したがって、例えば入力側ディスク２Ａとパワーローラ１１Ａとの間、あるいは出力側ディスク３Ａとパワーローラ１１Ａとの間等の転動面間に、異物が噛み込むのを防止することができ、トロイダル型無段変速機の寿命が低下するのを防止することができる。
【００３３】
図４乃至図７は本発明の第２実施の形態に係るトロイダル型無段変速機用入力側ディスクを示す図である。
図４乃至図６に示すように、本実施の形態に係るトロイダル型無段変速機用入力側ディスクユニット７０は、抑え治具７１およびこの抑え治具７１に固定された板状の位置決め治具５６とを備えている。
【００３４】
図４および図５に示すように、抑え治具７１は、中央部に円孔７２ａが形成された円板状の板部７２とこの板部７２の外周部全体をローディングカム７の外側面に向けて折り曲げて形成された脚部７３とからなる。
図５に示すように、板部７２には、ボルト７５，７５が挿通された２つの貫通孔７６，７６が互いに対向して形成されている。ボルト７５，７５の中間部の外周面には、外方に向けて突出する抜け止め部７５ａ，７５ａが形成されて、板部７２の貫通孔７６，７６からボルト７５，７５が抜け出ないようになっている。また、ボルト７５，７５を締め付けたときに、ボルト７５，７５の頭部が板部７２と擦れて、板部７２が損傷するのを防止するために、ボルト７５，７５の頭部と板部７２との間にそれぞれ、平座金９５，９５が介在されている。
また、脚部７３の先端部は、ローディングカム７の外側面７ｂに圧接されている。
【００３５】
また、図６および図７に示すように、板部７２において、貫通孔７６，７６に対して周方向に９０°の位置にそれぞれ、位置決め治具５６を板部７２の外側面に固定するボルト５７，５７が挿通される貫通孔７７，７７が形成されている。また、板部７２の内側面のうち、貫通孔７７，７７が形成されている部分にはそれぞれ、ボルト５７，５７の先端部が収納される有底円筒状の収納部７８，７８が溶接等により固定されており、収納部７８，７８の内周面にはそれぞれ、ボルト５７，５７の先端部が螺合される雌ねじ７８ａ，７８ａが形成されている。これらの貫通孔７７，７７と収納部７８，７８とで雌ねじ部７９，７９が構成されている。
【００３６】
また、図４および図６に示すように、位置決め治具５６の突出部５６ａの中央部には、入力軸１の軸孔（内部）１ｂと外部とを連通するとともに、軸孔１ｂよりも径の大きい貫通孔５６ｃが形成されている。
【００３７】
このように構成されたトロイダル型無段変速機用入力側ディスクユニット７０にあっては、抑え治具７１の板部７２に、ボルト５７，５７の先端部を収納する有底円筒状の収納部７８，７８を有する雌ねじ部７９，７９が設けられているので、雌ねじ部７９，７９にボルト５７，５７を締め付けるときあるいは各ボルト５７，５７を取り外すときに発生する異物が、雌ねじ部７９，７９の収納部７８，７８内に残留するため、ケース内に異物が落下するのを防止することができる。したがって、入力側ディスク２Ａとパワーローラ１１Ａとの間、あるいは出力側ディスク３Ａとパワーローラ１１Ａとの間等の転動面間に、異物が噛み込まれるのを防止することができ、トロイダル型無段変速機の寿命が低下するのを防止することができる。
【００３８】
また、位置決め治具５６に、入力軸１の軸孔１ｂと外部とを貫通する貫通孔５６ｃを形成しているので、位置決め治具５６が固定された抑え治具７１を入力側ディスク２Ａに取り付けた状態で、位置決め治具５６の貫通孔５６ｃを介して入力軸１の軸孔１ｂを洗浄することができるため、入力軸１の軸孔１ｂ内部に異物が溜まるのを防止することができる。
【００３９】
図８乃至図１１は、本発明の第３の実施の形態に係るトロイダル型無段変速機用入力側ディスクユニットを示す図である。なお、これらの図８乃至図１１において、図１乃至図３と同一構成要素には同一の符号を付してその説明を簡略化する。
図８乃至図１０に示すように、本実施の形態に係る入力側ディスクユニット８０は、抑え治具８１およびこの抑え治具８１に固定された板状の位置決め治具５６とを備えている。
【００４０】
図８および図９に示すように、抑え治具８１は、中央部に円孔８２ａが形成された円板状の板部８２と、この板部８２の外周縁部からローディングカム７の外側面７ｂに向けて延びる一対の脚部８３，８３とからなる。
図８に示すように、脚部８３，８３の先端部はそれぞれ、ローディングカム７の外側面７ｂに圧接されている。また、図９に示すように、脚部８３，８３はそれぞれ、板部８２の周方向に間隔をおいて互いに対向するように形成されている。これにより、図１０に示すように、脚部８３，８３間に、空間Ｓが形成されている。
【００４１】
また、板部８２の脚部８３，８３の近傍の部分にはそれぞれ、ボルト８５，８５が挿通された２つの貫通孔８６，８６が形成されている。ボルト８５，８５の外周面の中間部には、外方に向けて突出する抜け止め部８５ａ，８５ａが形成されて、板部８２の貫通孔８６，８６からボルト８５，８５が抜け出ないようになっている。また、ボルト８５，８５を締め付けたときに、ボルト８５，８５の頭部が板部８２と擦れて、板部８２が損傷するのを防止するために、ボルト８５，８５の頭部と板部８２との間にそれぞれ、平座金９６，９６が介在されている。
【００４２】
また、図１０および図１１に示すように、板部８２には、貫通孔８６，８６に対して周方向に９０°の位置にそれぞれ、位置決め治具５６を板部８２の外側面に固定するボルト９０，９０の先端部がそれぞれ螺合される雌ねじ８７，８７が形成されている。また、板部８２の内側面のうち、貫通孔８７，８７が形成されている部分にはそれぞれ、ボルト９０，９０の先端部が収納される有底円筒状の収納部８８，８８が溶接等により固定されている。これらの雌ねじ８７，８７と収納部８８，８８とで雌ねじ部８９，８９が構成されている。
また、図１１に示すように、ボルト９０，９０の先端部の外周面にはそれぞれ、ボルト９０，９０が各収納部８８，８８内から抜け出るのを防止する略円環状の止め輪（抜け止め部）９０ａ，９０ａが設けられている。
【００４３】
このように構成されたトロイダル型無段変速機用入力側ディスクユニット８０にあっては、第１実施の形態と同様な作用効果を奏するとともに、ボルト９０，９０の先端部の外周面に止め輪９０ａ、９０ａを設けているので、ボルト９０，９０を緩めても、止め輪９０ａ、９０ａが板部８２の内側面に当接して、ボルト９０の先端部が収納部８９内から抜け出るのを防止することができるため、収納部８８，８８内に溜まった異物が、収納部８８，８８内から外部に出て、ケース内に落下するのを防止することができる。
【００４４】
なお、本発明は、前述した各実施の形態に限定されず、その要旨を逸脱しない範囲で種々変形実施できることは言うまでもない。
例えば、第１実施の形態においては、抑え治具６１に２つの脚部６３，６３を形成したが、これに代えて、抑え治具６１に、例えば３つあるいは４つの脚部を形成するようにしても良い。要するに、抑え治具６１の板部６２の周方向に、複数個の脚部が間隔をおいて形成されていれば良い。
【００４５】
また、第３実施の形態においては、位置決め治具５６の中間部に貫通孔を形成していないが、これに代えて、この位置決め治具５６の中間部に、第２実施の形態と同様な貫通孔５６ｃを形成するようにしても良い。
【００４６】
【発明の効果】
以上説明したように、本発明によれば、トロイダル型無段変速機の寿命が低下するのを防止することができるトロイダル型無段変速機用入力側ディスクユニットを提供することができる。
【図面の簡単な説明】
【図１】本発明の第１実施の形態に係るトロイダル型無段変速機用入力側ディスクユニットを示す側面図である。
【図２】図１のＡ−Ａ線に沿う断面図である。
【図３】図１のＢ−Ｂ線に沿う断面図である。
【図４】本発明の第２実施の形態に係るトロイダル型無段変速機用入力側ディスクユニットを示す側面図である。
【図５】図４のＣ−Ｃ線に沿う断面図である。
【図６】図４のＤ−Ｄ線に沿う断面図である。
【図７】図５の抑え治具の雌ねじ部を拡大して示す断面図である。
【図８】本発明の第３実施の形態に係るトロイダル型無段変速機用入力側ディスクユニットを示す側面図である。
【図９】図８のＥ−Ｅ線に沿う断面図である。
【図１０】図８のＦ−Ｆ線に沿う断面図である。
【図１１】図９の抑え治具の雌ねじ部を拡大して示す断面図である。
【図１２】従来のトロイダル型無段変速機を示す断面図である。
【図１３】従来のトロイダル型無段変速機用入力側ディスクユニットを示す側面図である。
【図１４】図１３のＧ−Ｇ線に沿う断面図である。
【図１５】図１３のＨ−Ｈ線に沿う断面図である。
【符号の説明】
１      入力軸
１ａ    鍔部
１ｃ    内側面
２Ａ    入力側ディスク
２ｃ    雌ねじ
７      ローディングカム（カム板）
７ａ    駆動側カム面
７ｂ    外側面
７ｃ    貫通孔
８      皿ばね（予圧発生部材）
１４    被駆動側カム面
４３    ローディングローラ（ローラ）
４５    保持器
４５ａ  貫通孔
５６    位置決め治具
５６ｃ  貫通孔
５７    ボルト
６０，７０，８０  入力側ディスクユニット
６１，７１，８１  抑え治具
６２，７２，８２  板部
６３，７３，８３  脚部
６５，７５，８５  ボルト
６６，６７，７６，７７，８６  貫通孔
７８，８８      雌ねじ部
８７，７８ａ    雌ねじ
９０    ボルト
９０ａ  止め輪（抜け止め部）
【図１】
2004286085.tif 000003
【図２】
2004286085.tif 000004
【図３】
2004286085.tif 000005
【図４】
2004286085.tif 000006
【図５】
2004286085.tif 000007
【図６】
2004286085.tif 000008
【図７】
2004286085.tif 000009
【図８】
2004286085.tif 000010
【図９】
2004286085.tif 000011
【図１０】
2004286085.tif 000012
【図１１】
2004286085.tif 000013
【図１２】
2004286085.tif 000014
【図１３】
2004286085.tif 000015
【図１４】
2004286085.tif 000016
【図１５】
2004286085.tif 000017